(57)【特許請求の範囲】
【請求項１】
床面の上方に設けたレールに対し移動可能に支持したランナーに吊下された状態で、ランナー内または可動パネル内の電動モータの駆動によりレールに沿って自走して、互いに隣接する空間を開閉し得る可動パネルを備え、この可動パネルに設けた開口に対しドアを開閉動可能に支持したドア付き間仕切りにおいて、
ドアは、
床面に対し接離するように移動可能に支持した接床部材と、可動パネルに係止されてドアの開閉を阻止するとともに可動パネルから離脱してドアの開閉を可能にするように移動可能に支持したロック部材とのうち、少なくとも一方のものと、
手動ドアハンドルと、
前記接床部材とロック部材とのうち少なくとも一方のものにこの手動ドアハンドルの駆動を伝動する手動連動部とを備え、
この手動連動部は、ドアの表面に設けた収納凹所に手動ドアハンドルを収納する非操作状態と、この収納凹所から手動ドアハンドルを突出させる操作状態とを取り得るように、手動ドアハンドルを移動可能に支持する出入機構を備え、
この手動ドアハンドル出入機構は、電気的信号により駆動する電気的駆動部と、この電気的駆動部の駆動により手動ドアハンドルを非操作状態と操作状態とに移動させる出入連動部とを備え、
この手動ドアハンドル出入機構の電気的駆動部は、この電動モータが制御部からの電気的信号により駆動して可動パネルが移動し得る状態で、この電気的信号に基づき駆動して手動ドアハンドルを非操作状態に移動させるように、駆動制御される
ことを特徴とするドア付き間仕切り。
【請求項２】
前記手動ドアハンドル出入機構において手動ドアハンドルは操作状態でドアの表面に沿って回動可能に支持され、前記手動連動部は接床部材とロック部材とのうち少なくとも一方のものにこの手動ドアハンドルの回動を伝動し、手動ドアハンドル収納凹所においてドアの表面に沿う外周縁は手動ドアハンドルの外周縁に沿って形成されていることを特徴とする請求項１に記載のドア付き間仕切り。
【発明の詳細な説明】
【０００１】
【発明の属する技術分野】
この発明は、床面の上方に設けたレールに吊下されて移動し得る可動パネルを備えた間仕切りにおいて、この可動パネルに設けたドアに関するものである。
【０００２】
【従来の技術】
従来のドア付き間仕切りにおいてドアは、床面に対し接離するように移動可能に支持した接床部材と、可動パネルに係止されてドアの開閉を阻止するとともに可動パネルから離脱してドアの開閉を可能にするように移動可能に支持したロック部材と、手動ドアハンドルと、前記接床部材及びロック部材にこの手動ドアハンドルの駆動を伝動する手動連動部とを備えている。ドアにはこの手動ドアハンドルを収納する収納凹所が設けられている。
【０００３】
【発明が解決しようとする課題】
しかし、狭い収納凹所内に手を入れて手動ドアハンドルを回動操作させる必要があるため、手動ドアハンドルを回動操作しにくくなり、操作性が劣る。また、手動ドアハンドルを回動操作するためのスペースを収納凹所に設ける必要があるため、ドアの前後表面間距離が薄くなる収納凹所の面積が大きくなって遮音性が劣る。
【０００４】
本発明は、ドア付き間仕切りにおいて、手動ドアハンドルの操作性を向上させるとともに、収納凹所の面積を小さくして遮音性を向上させることを目的にしている。
【０００５】
【課題を解決するための手段】
後記各実施形態の図面（図１〜１１に示す第一実施形態、図１２に示す第二実施形態）の符号を援用して本発明を説明する。
【０００６】
請求項１の発明にかかるドア付き間仕切りは、第一実施形態に対応し、下記のように構成されている。
床面（Ｆ）の上方に設けたレール（１）に対し移動可能に支持したランナー（２）に吊下された状態で、ランナー（２）内または可動パネル（３）内の電動モータ（７）の駆動によりレール（１）に沿って自走して、互いに隣接する空間を開閉し得る可動パネル（３，４）を備えている。この可動パネル（３）に設けた開口（８）に対しドア（９）を開閉動可能に支持している。
【０００７】
ドア（９）は、床面（Ｆ）に対し接離するように移動可能に支持した接床部材（１８）と、可動パネル（３）に係止されてドア（９）の開閉を阻止するとともに可動パネル（３）から離脱してドア（９）の開閉を可能にするように移動可能に支持したロック部材（１９）とのうち、少なくとも一方のものと、手動ドアハンドル（４２，４３）と、前記接床部材（１８）とロック部材（１９）とのうち少なくとも一方のものにこの手動ドアハンドル（４２，４３）の駆動を伝動する手動連動部（４４）とを備えている。
【０００８】
この手動連動部（４４）は、ドア（９）の表面に設けた収納凹所（４８）に手動ドアハンドル（４２，４３）を収納する非操作状態と、この収納凹所（４８）から手動ドアハンドル（４２，４３）を突出させる操作状態とを取り得るように、手動ドアハンドル（４２，４３）を移動可能に支持する出入機構（４５）を備えている。
【０００９】
この手動ドアハンドル出入機構（４５）は、電気的信号により駆動する電気的駆動部（７２）と、この電気的駆動部（７２）の駆動により手動ドアハンドル（４２，４３）を非操作状態と操作状態とに移動させる出入連動部（７３）とを備えている。
【００１１】
手動ドアハンドル出入機構（４５）の電気的駆動部（７２）は、この電動モータ（７）が制御部（８７ａ）からの電気的信号により駆動して可動パネル（３）が移動し得る状態で、この電気的信号に基づき駆動して手動ドアハンドル（４２，４３）を非操作状態に移動させるように、駆動制御される。
【００１２】
請求項２の発明は、第一実施形態に対応し、請求項１の発明に下記の構成を追加している。
前記手動ドアハンドル出入機構（４５）において手動ドアハンドル（４２，４３）は、操作状態でドア（９）の表面に沿って回動可能に支持されている。前記手動連動部（４４）は、接床部材（１８）とロック部材（１９）とのうち少なくとも一方のものにこの手動ドアハンドル（４２，４３）の回動を伝動する。手動ドアハンドル収納凹所（４８）においてドア（９）の表面に沿う外周縁（４８ａ）は、手動ドアハンドル（４２，４３）の外周縁（４２ａ，４３ａ）に沿って形成されている。
【００１３】
【発明の実施形態】
〔第一実施形態〕
まず、本発明の第一実施形態にかかるドア付き間仕切りを図１〜１１を参照して説明する。
【００１４】
＜図１、図４及び図５に示す間仕切りの概略＞
レール１が床面Ｆの上方で延設されている。このレール１を走行し得る各ランナー２に各可動パネル３，４が吊下された状態で支持されてレール１と床面Ｆとの間でレール１に沿って互いに並設されている。このレール１の延設方向を左右方向、このレール１の延設方向に対し直交する方向を前後方向とする。
【００１５】
このレール１内にトロリーレール５が延設され、前記各ランナー２に取り付けられた集電子６がこのトロリーレール５に接触している。各ランナー２は、この集電子６からの給電によりパネル移動用電動モータ７（図１１参照）が駆動して、自走する。この各ランナー２の走行により、各可動パネル３，４は、その前後方向両側で互いに隣接する空間を開閉するようにレール１に沿って移動する。各可動パネル３，４のうち特定の可動パネル３に設けられた開口８に対しドア９がヒンジ９ａにより回動可能に支持されて可動パネル３の前方へ開閉動するようになっている。
【００１６】
このドア９の外周で可動パネル３内に設置された駆動系においては、後で詳述するように、床面Ｆに対し接離される左右両接床部材１１，１０と、レール１に対し接離される接天部材１２と、この左右両接床部材１１，１０及び接天部材１２を接離させる接離駆動手段１３とが設けられている。この接離駆動手段１３は、ロック駆動手段１４として、ドア９に対し係脱されるロック部材１５と、ロック用電気的駆動部（接離ロック用電動モータ１６）と、このロック用電気的駆動部（接離ロック用電動モータ１６）の駆動をロック部材１５に伝動するロック用自動連動部１７とを含む。
【００１７】
このドア９内に設置された駆動系においては、後で詳述するように、床面Ｆに対し接離される接床部材１８と、可動パネル３に対し係脱されるロック部材１９と、接離ロック駆動手段２０とが設けられている。図６〜９にも示すように、この接離ロック駆動手段２０は、大別して、後で詳述する手動駆動系２１と自動駆動系２２とに分かれている。
【００１８】
＜前記可動パネル３内の駆動系に設けた駆動手段１３，１４＞
＊  前記接離駆動手段１３
ドア９の左右両側のうち右側で可動パネル３内に接離ロック用電動モータ１６が設置されている。この接離ロック用電動モータ１６の出力軸１６ａに出力歯車２３が取着され、この出力歯車２３に噛合する連動歯車２４が可動パネル３内で回動可能に支持されている。この接離ロック用電動モータ１６に隣接する連動軸２５は、連動歯車２４の中心部を貫通して垂立状態で上下方向へ延設され、連動歯車２４と一体回転可能に嵌合されているとともに、その回転中心方向２５ａへ移動可能に支持されている。
【００１９】
前記連動軸２５の上下両端部にねじ対偶機構２７，２６が設けられている。この上下両ねじ対偶機構２７，２６は、連動軸２５に設けられた雄ねじ２８と、連動体３０，２９に設けられた雌ねじ３１とを互いに螺合させたものである。前記接離ロック用電動モータ１６の出力軸１６ａの回転により、出力歯車２３及び連動歯車２４を介して連動軸２５が回転すると、この上下両ねじ対偶機構２７，２６により、上下両連動体３０，２９が連動軸２５に対し上下方向へ相対移動して互いに接近離間する。
【００２０】
前記連動軸２５の下端部にあるねじ対偶機構２６でその連動体２９に対し一体的に設けられた支持体３２が、可動パネル３内で連動軸２５の回転中心方向２５ａへ移動可能に支持されている。この支持体３２の下端部には右側接床部材１０が連結され、圧縮コイルばね３２ａにより床面Ｆ側へ付勢されて停止している。
【００２１】
前記連動軸２５の上端部にあるねじ対偶機構２７でその連動体３０に対し一体的に設けられた支持体３３が、可動パネル３内で連動軸２５の回転中心方向２５ａへ移動可能に支持されている。ドア９の上側でこの支持体３３の上端部には横杆３４の右端部が永久中心軸３５により回動可能に連結されている。
【００２２】
ドア９の左右両側のうち左側で可動パネル３内に支杆３６が垂立状態で上下方向へ移動可能に支持されている。この支杆３６の下端部には左側接床部材１１が連結され、圧縮コイルばね３６ａにより床面Ｆ側へ付勢されて停止している。ドア９の上側でこの支杆３６の上端部には横杆３４の左端部が永久中心軸３７により回動可能に連結されている。なお、図示しないが、この支杆３６は、左側接床部材１１が床面Ｆから離間する上方へばねにより付勢されている。
【００２３】
ドア９の上側で前記支持体３３の上端部及び支杆３６の上端部を連結する両永久中心軸３５，３７間において横杆３４の中間部には、支杆３８の下端部が永久中心軸３９により回動可能に連結されている。この支杆３８は、横杆３４の上方へ延設され、垂立状態で上下方向へ移動可能に支持されている。この支杆３８の上端部には接天部材１２が連結され、圧縮コイルばね３８ａによりレール１側へ付勢されて停止している。なお、図示しないが、この支杆３８は、接天部材１２がレール１から離間する下方へばねにより付勢されている。
【００２４】
＊  前記ロック駆動手段１４
前記支持体３３の上端部及び支杆３８の下端部を連結する両永久中心軸３５，３９間で横杆３４には、棒状のロック部材１５の上端部が永久中心軸４０により回動可能に支持されている。このロック部材１５は、横杆３４の下方へ延設され、垂立状態で上下方向へ移動可能に支持されている。ドア９の上端部にはこのロック部材１５が係脱されるロック孔４１が形成されている。前記接離ロック用電動モータ１６は、電気的信号により駆動するロック用電気的駆動部として兼用されている。この接離ロック用電動モータ１６の駆動によりロック部材１５をドア９のロック孔４１に対し係脱させるロック用自動連動部１７としては、前記出力歯車２３、連動歯車２４、連動軸２５、上側ねじ対偶機構２７、上側連動体３０、上側支持体３３及び横杆３４が該当する。
【００２５】
＜前記ドア９内の駆動系に設けた接離ロック駆動手段２０＞
前述したように、この接離ロック駆動手段２０は、大別して手動駆動系２１と自動駆動系２２とに分かれている。
【００２６】
図６〜９に示すように、この手動駆動系２１は、後で詳述するように、ドア９の前後両側に設けられた接離ロック用手動ドアハンドル４２，４３と、前記接床部材１８及びロック部材１９にこの両手動ドアハンドル４２，４３の駆動を伝動する接離ロック用手動連動部４４とからなる。この接離ロック用手動連動部４４は、後で詳述する手動ドアハンドル出入機構４５を含む。
【００２７】
また、図６〜９に示すように、この自動駆動系２２は、後で詳述するように、接離ロック用電動モータ４６（接離ロック用電気的駆動部）と、前記接床部材１８及びロック部材１９にこの接離ロック用電動モータ４６の駆動を伝動する接離ロック用自動連動部４７とからなる。
【００２８】
＊  前記接離ロック用手動連動部４４
ドア９の前後表面にそれぞれ収納凹所４８が設けられ、この前後両収納凹所４８の上端部に支持凹部４９が形成されているとともに、この前後両収納凹部４８の下端部に指掛け凹部５０が形成されている。両手動ドアハンドル４２，４３の上端部に支持筒部５１が突設され、この支持筒部５１が支持凹部４９に対し前後方向へ移動可能にかつその移動方向回りで回動可能に嵌合されている。図１０に示すように、この前後両収納凹部４８においてドア９の前後表面に沿う外周縁４８ａは前後両手動ドアハンドル４２，４３の外周縁４２ａ，４３ａにほぼ沿って形成されている。この前後両手動ドアハンドル４２，４３にはそれぞれ押しボタン式の接離ロックスイッチ５２が取り付けられている。
【００２９】
ドア９内で連動軸５３が回転可能に支持されている。この連動軸５３の外周に連動筒５４が挿嵌され、この連動筒５４と連動軸５３とが相対回転可能になっている。この連動軸５３及び連動筒５４は前記支持凹部４９内に対しその底壁部４９ａを通って挿入されている。この支持凹部４９内において連動筒５４の端部から突出する連動軸５３の突出端部には雄ねじ部５５が形成されている。前記両手動ドアハンドル４２，４３の支持筒部５１においてその内端部に連動壁部５６が形成され、この連動壁部５６が連動筒５４の端部外周に対し前後方向へ移動可能にかつその移動方向回りで一体回動可能に嵌合されている。この支持筒部５１内において連動軸５３の雄ねじ部５５に雌ねじ筒５７が螺合され、この雌ねじ筒５７はその端壁部５７ａで支持筒部５１に対し前後方向へ移動可能にかつ回転不能に支持されている。支持凹部４９内においてその底壁部４９ａと支持筒部５１の連動壁部５６との間で出入用圧縮コイルばね５８が連動筒５４の外周に巻装されている。支持筒部５１内において支持筒部５１の連動壁部５６と雌ねじ筒５７の端壁部５７ａとの間でクッション用圧縮コイルばね５９が雄ねじ部５５及び雌ねじ筒５７の外周に巻装されている。
【００３０】
ドア９内において支持凹部４９の外側で連動筒５４の外周に連動板６０が一体回動可能に支持されている。この連動板６０の外周に連動リンク６１の上端部が永久中心軸６２により回動可能に連結されている。ドア９内で連動レバー６３が支軸６４により回動可能に支持され、この連動レバー６３に連動リンク６１の下端部が永久中心軸６５により回動可能に連結されている。ドア９内で支持体６６が垂立状態で上下方向へ移動可能に支持されている。この支持体６６の下端部には接床部材１８が連結され、圧縮コイルばね６６ａにより床面Ｆ側へ付勢されて停止している。この支持体６６に連動レバー６３が永久中心軸６７により回動可能に連結されている。なお、図示しないが、この支持体６６は、接床部材１８が床面Ｆから離間する上方へばねにより付勢されている。
【００３１】
ドア９内で前記連動板６０の外周に支杆６８の下端部が永久中心軸６９により回動可能に連結されている。この支杆６８の上端部に棒状のロック部材１９が永久中心軸７０により回動可能に連結されている。このロック部材１９は垂立状態で上下方向へ移動可能に支持されている。可動パネル３にはこのロック部材１９が係脱されるロック孔７１が形成されている。
【００３２】
＊  前記手動ドアハンドル出入機構４５
この出入機構４５は、ドア９内において支持凹部４９の外側に設置されたハンドル出入用電動モータ７２（ハンドル出入用電気的駆動部）と、前記両手動ドアハンドル４２，４３にこのハンドル出入用電動モータ７２の駆動を伝動するハンドル出入連動部７３とからなる。ドア９内において支持凹部４９の外側で前記連動軸５３の端部に連動歯車７４が取着されている。ハンドル出入用電動モータ７２の出力軸７２ａに出力歯車７５が取着され、連動歯車７４に対し直接的にまたは間接的に噛合されている。このハンドル出入連動部７３は、前記出力歯車７５と連動歯車７４と連動軸５３及びその雄ねじ部５５と雌ねじ筒５７と両手動ドアハンドル４２，４３の支持筒部５１と出入用圧縮コイルばね５８とクッション用圧縮コイルばね５９とからなる。
【００３３】
＊  前記接離ロック用自動連動部４７
この接離ロック用自動連動部４７は、自動手動兼用連動部７６と、下記・に示す自動専用連動部７７とからなる。この自動専用連動部７７はクラッチ７８を有している。この自動手動兼用連動部７６としては、前記接離ロック用手動連動部４４において連動筒５４と連動軸５３と連動板６０と連動リンク６１と連動レバー６３と支持体６６と支杆６８とが該当する。
【００３４】
・  前記自動専用連動部７７
ドア９内において支持凹部４９の外側に設置された接離ロック用電動モータ４６の出力軸４６ａに対し、可動軸７９が一体回転可能にかつ軸線方向へ移動可能に支持されている。この可動軸７９に円すい摩擦車８０が取着されている。この円すい摩擦車８０に接触する円すい摩擦車８１が回転可能な支軸８２に取着されている。この支軸８２に連動歯車８３が取着されている。前記連動筒５４に連動歯車８４が一体回転可能に挿嵌されている。この連動歯車８３は連動歯車８４に対し直接的にまたは間接的に噛合されている。
【００３５】
・  前記自動専用連動部７７のクラッチ７８
前記可動軸７９は電磁ソレノイド８５に挿嵌されている。この可動軸７９は圧縮コイルばね８６により付勢されている。この電磁ソレノイド８５が消磁されている状態では、圧縮コイルばね８６の弾性力により円すい摩擦車８０が円すい摩擦車８１から離れ、接離ロック用電動モータ４６の駆動を自動手動兼用連動部７６へ伝動するのを阻止する分離状態となる。電磁ソレノイド８５が励磁されると、可動軸７９が圧縮コイルばね８６の弾性力に抗して移動して円すい摩擦車８０が円すい摩擦車８１に接触し、接離ロック用電動モータ４６の駆動を自動手動兼用連動部７６へ伝動するのを許容する連結状態となる。
【００３６】
＊  前記手動連動部４４とその出入機構４５と自動連動部４７との関係
・  手動ドアハンドル４２，４３の出入時
図６，７に示すように収納凹所４８から手動ドアハンドル４２，４３を突出させた操作状態で、ハンドル出入用電動モータ７２が駆動すると、連動軸５３が連動筒５４に対し回転して連動軸５３の雄ねじ部５５で雌ねじ筒５７が内側へ移動し、この雌ねじ筒５７がクッション用圧縮コイルばね５９を介して支持筒部５１の連動壁部５６を出入用圧縮コイルばね５８の弾性力に抗して押す。そのため、図８，９に示すように収納凹所４８に手動ドアハンドル４２，４３を収納する非操作状態になる。
【００３７】
図８，９に示す非操作状態で、ハンドル出入用電動モータ７２が駆動すると、連動軸５３が連動筒５４に対し回転して連動軸５３の雄ねじ部５５で雌ねじ筒５７が外側へ移動し、出入用圧縮コイルばね５８の弾性力により支持筒部５１の連動壁部５６が押される。そのため、図６，７に示す操作状態になる。
【００３８】
この場合、連動軸５３の回転が連動筒５４に伝動されないため、手動ドアハンドル４２，４３や連動板６０や連動歯車８４は回動しない。
・  手動ドアハンドル４２，４３の操作時
図６，７に示すように収納凹所４８から手動ドアハンドル４２，４３を突出させた操作状態で、手動ドアハンドル４２，４３を９０度回動させると、その回動が支持筒部５１の連動壁部５６で連動筒５４に伝動され、連動板６０が回動する。
【００３９】
この場合、連動筒５４の回動は連動軸５３に伝動されない。また、前記クラッチ７８の分離状態では、連動筒５４の回動は、連動歯車８４からクラッチ７８まで伝動されるが、接離ロック用電動モータ４６には伝動されない。
【００４０】
・  前記接離ロック用電動モータ４６の駆動時
前記クラッチ７８の連結状態で、接離ロック用電動モータ４６が駆動すると、その回転はクラッチ７８等を介して連動筒５４に伝動され、連動板６０が回動する。なお、手動ドアハンドル４２，４３は、図６，７に示す操作状態にある。
【００４１】
この場合、連動筒５４の回動は連動軸５３に伝動されない。
＜図１１に示す電気ブロック回路の概略＞
コントローラ８７は、図示しない操作盤にあるパネル開閉スイッチ８８からの入力信号（後記するパネル閉モードにおける信号及びパネル開モードにおける信号）により、前記各ランナー２内のパネル移動用電動モータ７と可動パネル３内の接離ロック用電動モータ１６とドア９内の接離ロック用電動モータ４６、ハンドル出入用電動モータ７２及びクラッチ用電磁ソレノイド８５とを後述のように駆動制御する。また、コントローラ８７は、前記手動ドアハンドル４２，４３の接離ロックスイッチ５２からの入力信号（後記するドア閉モードにおける信号及びドア開モードにおける信号）により、ドア９内の接離ロック用電動モータ４６及びクラッチ用電磁ソレノイド８５を後述のように駆動制御する。なお、このコントローラ８７は、可動パネル３内に設置され、各ランナー２の集電子６から給電されている。
【００４２】
＜図１〜５に示すパネル開閉作用＞
＊  パネル収納状態でパネル開閉スイッチ６１がパネル閉モードになった場合
・  図１に示す搬出状態
可動パネル３の左右両接床部材１１，１０及びドア９の接床部材１８が床面Ｆから間隙Ｓだけ離間して開き、可動パネル３の接天部材１２がレール１から間隙Ｓだけ離間して開き、可動パネル３のロック部材１５がドア９のロック孔４１に係入されてロックされ、ドア９のロック部材１９が可動パネル３のロック孔７１から離脱されてロック解除された状態で、各ランナー２内のパネル移動用電動モータ７が駆動して各可動パネル３が所定の閉位置まで搬出され、その後パネル移動用電動モータ７が停止する。
【００４３】
この場合、前記手動ドアハンドル出入機構４５において、ハンドル出入用電動モータ７２は、このパネル移動用電動モータ７が制御部８７ａからの電気的信号により駆動して可動パネル３が移動し得る状態で、この電気的信号に基づき駆動して手動ドアハンドル４２，４３を非操作状態に移動させるように、駆動制御される。
【００４４】
・  図２に示す搬出状態
可動パネル３内の接離ロック用電動モータ１６が駆動し、上下両連動体３０，２９が共に移動して互いに離間すると、可動パネル３の右側接床部材１０がまず床面Ｆに接触して停止し、閉状態になる。この場合、可動パネル３の左側接床部材１１が床面Ｆに接近し始めるとともに、可動パネル３の接天部材１２がレール１に接近し始め、可動パネル３のロック部材１５がドア９のロック孔４１から離脱する上方へ移動し始める。
【００４５】
・  図３に示す搬出状態
さらに、可動パネル３内の接離ロック用電動モータ１６が駆動し、停止した下側連動体２９に対し連動軸２５が上方へ移動するとともに、この連動軸２５に対し上側連動体３０が上方へ移動して下側連動体２９から離間すると、可動パネル３の左側接床部材１１も床面Ｆに接触して停止し、閉状態になる。この場合、可動パネル３の接天部材１２がレール１に対しさらに接近し、可動パネル３のロック部材１５がドア９のロック孔７１から離脱する上方へさらに移動する。
【００４６】
・  図４に示す搬出状態
さらに、可動パネル３内の接離ロック用電動モータ１６が駆動し、停止した下側連動体２９に対し連動軸２５が上方へ移動するとともに、この連動軸２５に対し上側連動体３０が上方へ移動して下側連動体２９から離間すると、可動パネル３の接天部材１２もレール１に接触して停止し、閉状態になる。この場合、可動パネル３のロック部材１５がドア９のロック孔４１から完全に離脱し、ロック解除状態になる。その後、接離ロック用電動モータ１６が停止する。
【００４７】
・  図５に示す搬出状態
前記図４の動作終了後に、または図１〜４の動作と同時に、ドア９内の接離ロック用電動モータ４６が駆動するとともに、クラッチ７８が連結状態になると、この電動モータ４６の回転が連動板６０に伝動される。そのため、ドア９の接床部材１８が床面Ｆに接触して停止し、閉状態になるとともに、ドア９のロック部材１９が可動パネル３のロック孔７１に係入されてロック状態になる。その後、接離ロック用電動モータ４６が停止する。
【００４８】
＊  パネル搬出状態でパネル開閉スイッチ６１がパネル開モードになった場合前述した図５の搬出状態から、図４の搬出状態、図３の搬出状態及び図２の搬出状態を経て図１の搬出状態になる。次に、各ランナー２内のパネル移動用電動モータ７が駆動して各可動パネル３が収納され、その後パネル移動用電動モータ７が停止する。
【００４９】
＜ドア９のみの開閉作用＞
＊  前記接離ロックスイッチ５２がドア閉モードになった場合
・  図４に示すドア開状態
図４に示すパネル搬出状態では、可動パネル３の左右両接床部材１１，１０が床面Ｆに接触して閉じ、可動パネル３の接天部材１２がレール１に接触して閉じ、可動パネル３のロック部材１５がドア９のロック孔４１から離脱されてロック解除されている。このパネル搬出状態で、ドア９の接床部材１８が床面Ｆから間隙Ｓだけ離間して開き、ドア９のロック部材１９が可動パネル３のロック孔７１から離脱されてロック解除された開状態にある。
【００５０】
・  図５に示すドア閉状態
前記パネル搬出状態のままで、ドア９内の接離ロック用電動モータ４６が駆動すると、ドア９の接床部材１８が床面Ｆに接触して閉状態になるとともに、ドア９のロック部材１９が可動パネル３のロック孔７１に係入されてロック状態になる。その後、接離ロック用電動モータ４６が停止する。
【００５１】
＊  図５のドア閉状態で、接離ロックスイッチ５２がドア開モードになった場合、図４のドア開状態になる。
＜第一実施形態の特徴＞
第一実施形態は下記＊の特徴（後記する他の技術的思想以外）を有する。
【００５２】
＊  手動ドアハンドル出入機構４５により、収納凹所４８から手動ドアハンドル４２，４３を突出させた操作状態で、手動ドアハンドル４２，４３を回動操作して、接床部材１８を床面Ｆに対し接離させるとともに、ロック部材１９を可動パネル３のロック孔７１に対し係脱させることができる。手動ドアハンドル４２，４３を操作しない場合には、収納凹所４８に手動ドアハンドル４２，４３を収納して非操作状態にすることができる。そのため、狭い収納凹所４８内に手を入れて手動ドアハンドル４２，４３を回動操作させる必要がなくなる。従って、手動ドアハンドル４２，４３を回動操作し易くなり、操作性が向上する。
【００５３】
＊  前記非操作状態では、手動ドアハンドル４２，４３を回動操作するためのスペースを収納凹所４８に設ける必要はない。そのため、収納凹所４８においてドア９の表面に沿う外周縁４８ａを手動ドアハンドル４２，４３の外周縁４２ａ，４３ａにほぼ沿って形成することができる。従って、収納凹所４８の表面積を小さく形成することができ、見栄えが良くなるばかりではなく、ドア９の前後表面間距離が薄くなる収納凹所４８の面積も小さくなって遮音性が向上する。
【００５４】
＊  手動ドアハンドル出入機構４５において、手動ドアハンドル４２，４３の出入をハンドル出入用電動モータ７２により自動的に行うことができ、実用上便利である。
【００５５】
＊  可動パネル３が移動し得る状態では、手動ドアハンドル４２，４３を収納凹所４８から突出させない非操作状態にすることができる。従って、可動パネル３の移動中に手動ドアハンドル４２，４３に対する衝突をなくして手動ドアハンドル４２，４３及びその衝突物の損傷を防止する。
【００５６】
＊  手動ドアハンドル４２，４３が収納凹所４８に収納される時、それらの間に指が挟まれて手動ドアハンドル４２，４３が停止すると、雌ねじ筒５７の移動力が圧縮コイルばね５９で吸収されため、クッション機能を果たす。
【００５７】
＊  床面Ｆに対する接床部材１８の接離と可動パネル３のロック孔７１に対するロック部材１９の係脱とを接離ロック用電動モータ４６により自動化してその操作を容易にすることができ、実用上便利である。
【００５８】
＊  上記接床部材１８の接離と上記ロック部材１９の係脱とを手動ドアハンドル４２，４３の回動操作によっても行うことができ、実用上便利である。
＊  上記手動ドアハンドル４２，４３を回動操作する場合、その動きはクラッチ７８により分断されるので、接離ロック用電動モータ４６に伝動されない。従って、手動ドアハンドル４２，４３の回動操作を接離ロック用電動モータ４６による抵抗力に影響されることなく容易に行うことができる。
【００５９】
〔第二実施形態〕
図１２に示す第二実施形態においては、第一実施形態における自動駆動系２２の接離ロック用自動連動部４７に該当するものがなく、手動駆動系２１の接離ロック用手動連動部４４のみが設けられている。この接離ロック用手動連動部４４の手動ドアハンドル出入機構４５においては、ドア９の前後表面に設けられた支持孔８９に手動ドアハンドル４２，４３の支持突部９０が前後方向へ移動可能に挿嵌され、この前後両支持突部９０の内端部に連動歯車９１，９２が取着されている。また、連動板６０の回転中心軸９３の前後両側にも連動歯車９４，９５が取着されている。手動ドアハンドル４２，４３の操作状態でその連動歯車９１，９２が連動板６０側の連動歯車９４，９５に噛合し、手動ドアハンドル４２，４３の非操作状態でその連動歯車９１，９２が連動板６０側の連動歯車９４，９５から離れる。この両手動ドアハンドル４２，４３は、互いに独立して操作状態と非操作状態とに手動で出入して位置決めすることができる。両手動ドアハンドル４２，４３のうち少なくとも一方のもの（例えば図示の手動ドアハンドル４２）が操作状態にある時、この手動ドアハンドル４２を９０度回動操作すると、接離ロック用手動連動部４４で連動歯車９１と連動歯車９４と回転中心軸９３とを介して連動板６０が回動する。
【００６０】
この第二実施形態においても、第一実施形態と同様に、手動ドアハンドル４２，４３の操作性を向上させるとともに、収納凹所４８の面積を小さくして遮音性を向上させることができる。
【００６１】
〔他の実施形態〕
前記各実施形態以外にも下記＊のように構成してもよい。
＊  第一実施形態において、自動駆動系２２の接離ロック用自動連動部４７を省略し、手動駆動系２１の接離ロック用手動連動部４４のみを残す。
【００６２】
＊  第一実施形態では、電気的信号により駆動する電気的駆動部として、接離ロック用電動モータ４６及びハンドル出入用電動モータ７２を利用したが、そのほか例えば電磁ソレノイドなどを利用する。
【００６３】
〔他の技術的思想〕
実施形態から把握できる技術的思想（請求項以外）を効果と共に記載する。
（イ）  第一実施形態及び第二実施形態に対応する構成
床面Ｆの上方に設けたレール１に吊下された状態で、互いに隣接する空間を開閉するようにレール１に沿って移動し得る可動パネル３，４を備え、この可動パネル３に設けた開口８に対しドア９を開閉動可能に支持したドア付き間仕切りにおいて、ドア９は、床面Ｆに対し接離するように移動可能に支持した接床部材１８と、可動パネル３に係止されてドア９の開閉を阻止するとともに可動パネル３から離脱してドア９の開閉を可能にするように移動可能に支持したロック部材１９と、手動ドアハンドル４２，４３と、この手動ドアハンドル４２，４３の駆動により接床部材１８を接離させるとともにロック部材１９を係脱させる手動連動部４４とを備え、この手動連動部４４は、接床部材１８が床面Ｆから離間する時にロック部材１９が可動パネル３から離脱するように構成され、この手動連動部４４は、ドア９の表面に設けた収納凹所４８に手動ドアハンドル４２，４３を収納する非操作状態と、この収納凹所４８から手動ドアハンドル４２，４３を突出させる操作状態とを取り得るように、手動ドアハンドル４２，４３を移動可能に支持する出入機構４５を備えている。従って、手動ドアハンドル４２，４３の操作性を向上させるとともに、収納凹所４８の面積を小さくして遮音性を向上させることができる。
【００６４】
（ロ）  第一実施形態に対応する構成
請求項１または請求項２、または上記（イ）において、電気的信号により駆動する電気的駆動部（接離ロック用電動モータ４６）と、接床部材１８とロック部材１９とのうち少なくとも一方のものにこの電気的駆動部（接離ロック用電動モータ４６）の駆動を伝動する自動連動部４７とを備えている。従って、床面Ｆに対する接床部材１８の接離や可動パネル３に対するロック部材１９の係脱を電気的駆動部（接離ロック用電動モータ４６）により自動化してその操作を容易にすることができ、実用上便利である。
【００６５】
（ハ）  第一実施形態に対応する構成
上記（ロ）において、自動連動部４７及び手動連動部４４はそれぞれ自動手動兼用連動部７６を有し、自動連動部４４はこの自動手動兼用連動部７６とドア９内の電気的駆動部（接離ロック用電動モータ４６）とを連動する自動専用連動部７７を有し、この自動専用連動部７７は、ドア９内の電気的駆動部（接離ロック用電動モータ４６）の駆動を自動手動兼用連動部７６へ伝動するのを阻止する分離状態とその伝動を許容する連結状態とを取り得るクラッチ７８を有している。従って、手動ドアハンドル４２，４３の操作を電気的駆動部（接離ロック用電動モータ４６）による抵抗力に影響されることなく容易に行うことができる。
【００６６】
【発明の効果】
請求項１の発明にかかるドア付き間仕切りによれば、手動ドアハンドル（４２，４３）の操作性を向上させるとともに、収納凹所（４８）の面積を小さくして遮音性を向上させることができる。
【００６７】
また、手動ドアハンドル（４２，４３）の出入を電気的駆動部（７２）により自動的に行うことができ、実用上便利である。
【００６８】
さらに、可動パネル（３）の移動中に手動ドアハンドル（４２，４３）に対する衝突をなくして手動ドアハンドル（４２，４３）及びその衝突物の損傷を防止することができる。
【００６９】
請求項２の発明によれば、請求項１の発明の効果に加え、収納凹所（４８）の面積を小さくして遮音性を向上させることができる。
【図面の簡単な説明】
【図１】  第一実施形態にかかるドア付き間仕切りにおいて、可動パネルの接天接床部材の開状態、可動パネルのロック部材のロック状態、ドアの接床部材の開状態及びドアのロック部材のロック解除状態を示す概略断面図である。
【図２】  同じく、可動パネルの接天接床部材及びロック部材の変化を示す概略断面図である。
【図３】  同じく、可動パネルの接天接床部材及びロック部材の変化を示す概略断面図である。
【図４】  同じく、可動パネルの接天接床部材の閉状態、可動パネルのロック部材のロック解除状態、ドアの接床部材の開状態及びドアのロック部材のロック解除状態を示す概略断面図である。
【図５】  同じく、可動パネルの接天接床部材の閉状態、可動パネルのロック部材のロック解除状態、ドアの接床部材の閉状態及びドアのロック部材のロック状態を示す概略断面図である。
【図６】  第一実施形態にかかるドア内の接離ロック駆動手段において手動ドアハンドルの操作状態を示す部分断面図である。
【図７】  同じくドア内の接離ロック駆動手段において手動ドアハンドルの操作状態を示す部分断面図である。
【図８】  同じくドア内の接離ロック駆動手段において手動ドアハンドルの非操作状態を示す部分断面図である。
【図９】  同じくドア内の接離ロック駆動手段において手動ドアハンドルの非操作状態を示す部分断面図である。
【図１０】  図８，９の手動ドアハンドルを示す部分側面図である。
【図１１】  電気ブロック回路を示す概略図である。
【図１２】  （ａ）は第二実施形態にかかるドア内の接離ロック駆動手段において手動ドアハンドルの操作状態または非操作状態を示す部分断面図であり、（ｂ）は（ａ）の手動ドアハンドルを示す部分側面図である。
【符号の説明】
１…レール、２…ランナー、３，４…可動パネル、７…パネル移動用電動モータ、８…開口、９…ドア、１８…接床部材、１９…ロック部材、４２，４３…手動ドアハンドル、４２ａ，４３ａ…手動ドアハンドル外周縁、４４…接離ロック用手動連動部、４５…手動ドアハンドル出入機構、４８…手動ドアハンドル収納凹所、４８ａ…収納凹所外周縁、７１…ロック孔、７２…ハンドル出入用電動モータ（電気的駆動部）、７３…ハンドル出入連動部、８７ａ…制御部、Ｆ…床面。
【図１】
0003904692.tif 000002
【図２】
0003904692.tif 000003
【図３】
0003904692.tif 000004
【図４】
0003904692.tif 000005
【図５】
0003904692.tif 000006
【図６】
0003904692.tif 000007
【図７】
0003904692.tif 000008
【図８】
0003904692.tif 000009
【図９】
0003904692.tif 000010
【図１０】
0003904692.tif 000011
【図１１】
0003904692.tif 000012
【図１２】
0003904692.tif 000013